(57)【要約】【課題】従来のものよりも信号処理に要する時間を短縮することができる信号同期装置及びそれを備えた信号評価装置並びに信号同期方法を提供する。【解決手段】信号同期装置２０は、第１キャリア信号及び第２キャリア信号を含むマルチキャリア信号の波形データを所定フレーム数だけキャプチャする波形キャプチャ部２１と、波形キャプチャ部２１にキャプチャされた第１キャリア信号を通過させる周波数フィルタ２２と、第１キャリア信号に含まれるパイロット信号を抽出し、抽出したパイロット信号の位置情報に基づいて、第１キャリア信号のフレームの先頭位置を検出する時間同期部２４と、フレームの先頭位置の情報に基づいて、波形キャプチャ部２１にキャプチャされた第２キャリア信号を通過させる周波数フィルタ２３と、を備える。【選択図】図１
2014082662.tif 000002
【特許請求の範囲】
【請求項１】
互いに異なる周波数帯域を有する複数のキャリア信号（１１０、１２０）を含むマルチキャリア信号（１００）を予め定められたフレーム数キャプチャするマルチキャリア信号キャプチャ手段（２１）と、
前記複数のキャリア信号のうちの１つのキャリア信号（１１０）を通過させて出力する第１のキャリア信号出力手段（２２）と、
前記１つのキャリア信号に含まれる特定の信号に基づいて前記１つのキャリア信号と前記複数のキャリア信号のうちの残りのキャリア信号（１２０）との時間同期を行うための時間同期情報（２４ａ）を取得する時間同期情報取得手段（２４）と、
前記時間同期情報に基づいて前記１つのキャリア信号と同期した前記残りのキャリア信号を通過させて出力する少なくとも１つの第２のキャリア信号出力手段（２３）と、
を備えたことを特徴とする信号同期装置（２０）。
【請求項２】
前記マルチキャリア信号キャプチャ手段は、振幅及び位相が既知のパイロット信号が周波数軸上及び時間軸上に所定の間隔で配置された複数のキャリア信号を含むマルチキャリア信号をキャプチャするものであり、
前記時間同期情報取得手段は、前記特定の信号として前記パイロット信号を用いて前記１つのキャリア信号のフレームの時間上の位置情報を取得することによって前記時間同期情報を取得するものであることを特徴とする請求項１に記載の信号同期装置。
【請求項３】
前記時間同期情報取得手段は、前記フレームの時間上の位置情報として前記フレームの先頭位置情報を取得するものであることを特徴とする請求項２に記載の信号同期装置。
【請求項４】
請求項１から請求項３までのいずれか１項に記載の信号同期装置を備え、前記マルチキャリア信号を送信するマルチキャリア信号送信機（５０）の送信信号を評価する信号評価装置（１０）であって、
前記第１のキャリア信号出力手段が出力する前記１つのキャリア信号を測定する第１のキャリア信号測定手段（３１）と、
前記少なくとも１つの第２のキャリア信号出力手段が出力する前記残りのキャリア信号を測定する少なくとも１つの第２のキャリア信号測定手段（３２）と、
をさらに備えたことを特徴とする信号評価装置。
【請求項５】
請求項１に記載の信号同期装置（２０）を用いた信号同期方法であって、
互いに異なる周波数帯域を有する複数のキャリア信号（１１０、１２０）を含むマルチキャリア信号（１００）を予め定められたフレーム数キャプチャするマルチキャリア信号キャプチャステップ（Ｓ１３）と、
前記複数のキャリア信号のうちの１つのキャリア信号（１１０）を通過させて出力する第１のキャリア信号出力ステップ（Ｓ１４）と、
前記１つのキャリア信号に含まれる特定の信号に基づいて前記１つのキャリア信号と前記複数のキャリア信号のうちの残りのキャリア信号（１２０）との時間同期を行うための時間同期情報（２４ａ）を取得する時間同期情報取得ステップ（Ｓ１５）と、
前記時間同期情報に基づいて前記１つのキャリア信号と同期した前記残りのキャリア信号を通過させて出力する少なくとも１つの第２のキャリア信号出力ステップ（Ｓ１６）と、
を含むことを特徴とする信号同期方法。
【発明の詳細な説明】
【技術分野】
【０００１】
本発明は、例えば、携帯電話基地局が送信するマルチキャリア信号を評価する評価装置において信号の同期処理を行う信号同期装置及びそれを備えた信号評価装置並びに信号同期方法に関する。
【背景技術】
【０００２】
従来、マルチキャリア信号を評価する装置としては、特許文献１記載の信号分析装置が知られている。
【０００３】
特許文献１記載のものは、第１の周波数範囲に亘る入力信号のパワーを測定する受信部と、測定データを元に周波数軸及び時間軸の２次元座標上にパワーの大きさの変化を認識可能に示したスペクトログラムを表示部に表示させるグラフ生成手段と、第２の周波数範囲と第２の時間範囲とで囲まれたゾーンマーカをスペクトログラム上に表示するゾーンマーカ生成手段と、を備えている。
【０００４】
この構成により、特許文献１記載のものは、解析対象とする信号の周波数を一方の座標軸、分析した時間を他方の座標軸とする座標上に各周波数の成分の大きさをパラメータとして３次元状にスペクトログラムを表示し、その表示の中に所望の領域を設定することにより、試験者に解析結果を観察させるようになっている。
【先行技術文献】
【特許文献】
【０００５】
【特許文献１】特開２００９−２５０７１７号公報
【発明の概要】
【発明が解決しようとする課題】
【０００６】
しかしながら、従来のものは、マルチキャリア信号を評価する際に、マルチキャリア信号に含まれる複数のキャリア信号ごとに時間同期の処理を行う構成になっているので、信号処理に要する時間が増大するという課題があった。
【０００７】
本発明は、従来の課題を解決するためになされたものであり、従来のものよりも信号処理に要する時間を短縮することができる信号同期装置及びそれを備えた信号評価装置並びに信号同期方法を提供することを目的とする。
【課題を解決するための手段】
【０００８】
本発明の請求項１に係る信号同期装置は、互いに異なる周波数帯域を有する複数のキャリア信号（１１０、１２０）を含むマルチキャリア信号（１００）を予め定められたフレーム数キャプチャするマルチキャリア信号キャプチャ手段（２１）と、前記複数のキャリア信号のうちの１つのキャリア信号（１１０）を通過させて出力する第１のキャリア信号出力手段（２２）と、前記１つのキャリア信号に含まれる特定の信号に基づいて前記１つのキャリア信号と前記複数のキャリア信号のうちの残りのキャリア信号（１２０）との時間同期を行うための時間同期情報（２４ａ）を取得する時間同期情報取得手段（２４）と、前記時間同期情報に基づいて前記１つのキャリア信号と同期した前記残りのキャリア信号を通過させて出力する少なくとも１つの第２のキャリア信号出力手段（２３）と、を備えた構成を有している。
【０００９】
この構成により、本発明の請求項１に係る信号同期装置は、時間同期情報取得手段が、１つのキャリア信号に含まれる特定の信号に基づいて１つのキャリア信号と複数のキャリア信号のうちの残りのキャリア信号との時間同期を行うための時間同期情報を取得する。
【００１０】
したがって、本発明の請求項１に係る信号同期装置は、取得した時間同期情報に基づいて、１つのキャリア信号とその他のキャリア信号との時間同期を行うことにより、従来のように、マルチキャリア信号に含まれる複数のキャリア信号ごとに時間同期の処理を行う必要がないので、従来のものよりも信号処理に要する時間を短縮することができる。
【００１１】
本発明の請求項２に係る信号同期装置は、前記マルチキャリア信号キャプチャ手段は、振幅及び位相が既知のパイロット信号が周波数軸上及び時間軸上に所定の間隔で配置された複数のキャリア信号を含むマルチキャリア信号をキャプチャするものであり、前記時間同期情報取得手段は、前記特定の信号として前記パイロット信号を用いて前記１つのキャリア信号のフレームの時間上の位置情報を取得することによって前記時間同期情報を取得するものである構成を有している。
【００１２】
この構成により、本発明の請求項２に係る信号同期装置は、時間同期情報取得手段が、パイロット信号を用いて１つのキャリア信号のフレームの時間上の位置情報を取得することによって時間同期情報を取得するので、この時間同期情報に基づいて従来のものよりも信号処理に要する時間を短縮することができる。
【００１３】
ここで、前記時間同期情報取得手段は、前記フレームの時間上の位置情報として前記フレームの先頭位置情報を取得するものであることが好ましい。
【００１４】
本発明の請求項４に係る信号評価装置は、信号同期装置を備え、前記マルチキャリア信号を送信するマルチキャリア信号送信機（５０）の送信信号を評価する信号評価装置（１０）であって、前記第１のキャリア信号出力手段が出力する前記１つのキャリア信号を測定する第１のキャリア信号測定手段（３１）と、前記少なくとも１つの第２のキャリア信号出力手段が出力する前記残りのキャリア信号を測定する少なくとも１つの第２のキャリア信号測定手段（３２）と、をさらに備えたことを特徴とする構成を有している。
【００１５】
この構成により、本発明の請求項４に係る信号評価装置は、従来のように、マルチキャリア信号に含まれる複数のキャリア信号ごとに時間同期の処理を行う必要がないので、従来のものよりも信号処理に要する時間を短縮することができる。
【００１６】
本発明の請求項５に係る信号同期方法は、信号同期装置（２０）を用いた信号同期方法であって、互いに異なる周波数帯域を有する複数のキャリア信号（１１０、１２０）を含むマルチキャリア信号（１００）を予め定められたフレーム数キャプチャするマルチキャリア信号キャプチャステップ（Ｓ１３）と、前記複数のキャリア信号のうちの１つのキャリア信号（１１０）を通過させて出力する第１のキャリア信号出力ステップ（Ｓ１４）と、前記１つのキャリア信号に含まれる特定の信号に基づいて前記１つのキャリア信号と前記複数のキャリア信号のうちの残りのキャリア信号（１２０）との時間同期を行うための時間同期情報（２４ａ）を取得する時間同期情報取得ステップ（Ｓ１５）と、前記時間同期情報に基づいて前記１つのキャリア信号と同期した前記残りのキャリア信号を通過させて出力する少なくとも１つの第２のキャリア信号出力ステップ（Ｓ１６）と、を含む構成を有している。
【００１７】
この構成により、本発明の請求項５に係る信号同期方法は、時間同期情報取得ステップにおいて、１つのキャリア信号に含まれる特定の信号に基づいて１つのキャリア信号と複数のキャリア信号のうちの残りのキャリア信号との時間同期を行うための時間同期情報を取得する。
【００１８】
したがって、本発明の請求項５に係る信号同期方法は、取得した時間同期情報に基づいて、１つのキャリア信号とその他のキャリア信号との時間同期を行うことにより、従来のように、マルチキャリア信号に含まれる複数のキャリア信号ごとに時間同期の処理を行う必要がないので、従来のものよりも信号処理に要する時間を短縮することができる。
【発明の効果】
【００１９】
本発明は、従来のものよりも信号処理に要する時間を短縮することができるという効果を有する信号同期装置及びそれを備えた信号評価装置並びに信号同期方法を提供することができるものである。
【図面の簡単な説明】
【００２０】
【図１】本発明に係る送信機評価装置の一実施形態におけるブロック構成図である。
【図２】本発明に係る送信機評価装置の評価対象であるＤＵＴのブロック構成図である。
【図３】本発明に係る送信機評価装置の一実施形態において、波形キャプチャ部がキャプチャしたマルチキャリア信号を概念的に示す図である。
【図４】本発明に係る送信機評価装置の一実施形態における動作説明のフローチャートである。
【発明を実施するための形態】
【００２１】
以下、本発明の実施形態について図面を用いて説明する。なお、本発明に係る信号評価装置を、マルチキャリア信号を送信するマルチキャリア信号送信機を評価する送信機評価装置に適用した例を挙げて説明する。
【００２２】
まず、本発明に係る送信機評価装置の一実施形態における構成について説明する。
【００２３】
図１に示すように、本実施形態における送信機評価装置１０は、ＲＦ（Radio Frequency）処理部１１、ＡＤＣ（アナログデジタルコンバータ）１２、操作部１３、制御装置１４、信号同期装置２０、測定装置３０を備えている。送信機評価装置１０は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。送信機評価装置１０は、ＲＯＭに予め格納された制御プログラムを実行させることにより、マイクロコンピュータを、ＲＦ処理部１１、ＡＤＣ１２、操作部１３、制御装置１４、信号同期装置２０、測定装置３０として機能させるようになっている。この送信機評価装置１０は、本発明に係る信号評価装置を構成する。
【００２４】
図示のように、送信機評価装置１０は、例えば同軸ケーブルによってＤＵＴ（Device Under Test：被試験デバイス）５０に接続され、ＤＵＴ５０の送信信号を評価するものである。
【００２５】
ＤＵＴ５０は、マルチキャリア信号を送信する公知の送信装置であり、例えば、３ＧＰＰ（Third Generation Partnership Project）によるＬＴＥ（Long Term Evolution）やＬＴＥ−Ａ（Long Term Evolution-Advanced）と呼ばれる通信規格に従って通信する移動端末基地局の送信装置である。このＤＵＴ５０は、本発明に係るマルチキャリア信号送信機を構成する。
【００２６】
この種の移動端末基地局は、下りリンクについてはＯＦＤＭＡ（Orthogonal Frequency Division Multiple Access：直交周波数分割多元接続）によって移動端末と通信するようになっている。ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【００２７】
なお、以下の説明では、ＤＵＴ５０が送信するマルチキャリア信号は、互いに異なる周波数帯域を有する第１キャリア信号及び第２キャリア信号の２つを含むものとする。
【００２８】
図２は、ＤＵＴ５０の概要構成例を示している。ＤＵＴ５０は、キャリア変調部５１及び５２、合成部５３、パイロット信号生成部５４、フレーム構成部５５、ＩＦＦＴ（Inverse Fast Fourier Transform）５６、ＣＰ（Cyclic  Prefix）付加部５７、ＲＦ信号送信部５８を備えている。
【００２９】
キャリア変調部５１及び５２は、それぞれ入力する第１信号及び第２信号を、互いに異なる周波数を有する複数の搬送波を用いてキャリア変調する。合成部５３は、２つのキャリア変調信号の時間同期を行って周波数多重して合成する。パイロット信号生成部５４は、通信規格に応じた所定の振幅及び位相を有するパイロット信号を生成する。フレーム構成部５５は、パイロット信号が周波数軸上及び時間軸上に所定の間隔で配置された複数のキャリア信号を含むマルチキャリア信号のフレームを構成する。ＩＦＦＴ５６は、フレーム構成部５５の出力信号に対して逆高速フーリエ変換処理を行う。ＣＰ付加部５７は、ＩＦＦＴ部５６で得られたＯＦＤＭ信号にＣＰと呼ばれるガード区間を付加する。ＲＦ信号送信部５８は、所定の無線周波数にアップコンバートしたＲＦ信号を送信する。
【００３０】
前述の構成において、各キャリア信号の周波数帯域及び中心周波数、フレーム構成、フレーム長、パイロット信号の配置、ＲＦ信号の周波数等の情報は、試験者が操作部１３（図１参照）を操作することにより入力され、制御装置１４（図１参照）が各部に設定するようになっている。したがって、ＤＵＴ５０が送信するマルチキャリア信号の構成は、制御装置１４にとって既知である。
【００３１】
図１に戻り、送信機評価装置１０の構成について詳細に説明する。
【００３２】
ＲＦ処理部１１は、ＤＵＴ５０から入力したマルチキャリア信号を所定周波数の信号にダウンコンバートして復調しＡＤＣ１２に出力するようになっている。
【００３３】
ＡＤＣ１２は、ＲＦ処理部１１から入力したアナログ値のマルチキャリア信号をデジタル値のマルチキャリア信号に変換し、信号同期装置２０に出力するようになっている。
【００３４】
信号同期装置２０は、波形キャプチャ部２１、周波数フィルタ２２及び２３、時間同期部２４を備えている。
【００３５】
波形キャプチャ部２１は、ＡＤＣ１２が出力する時間領域のマルチキャリア信号の波形データを予め定められたフレーム数だけキャプチャ（捕捉）するようになっている。ここで、マルチキャリア信号は、第１キャリア信号及び第２キャリア信号を含む。なお、波形キャプチャ部２１は、後述のように、時間同期部２４が第１キャリア信号のフレームの先頭位置を検出するために、２フレーム以上のフレーム数のマルチキャリア信号の波形データをキャプチャするのが好ましい。この波形キャプチャ部２１は、本発明に係るマルチキャリア信号キャプチャ手段を構成する。
【００３６】
周波数フィルタ２２及び２３は、例えばデジタルフィルタで構成され、それぞれが通過させる信号の周波数帯域を制御装置１４からの制御信号に基づいて設定するようになっている。
【００３７】
周波数フィルタ２２は、波形キャプチャ部２１にキャプチャされたマルチキャリア信号の波形データのうち、第１キャリア信号のみを通過させて出力するようになっている。この周波数フィルタ２２は、本発明に係る第１のキャリア信号出力手段を構成する。
【００３８】
周波数フィルタ２３は、波形キャプチャ部２１にキャプチャされたマルチキャリア信号の波形データのうち、第２キャリア信号のみを通過させて出力するようになっている。この周波数フィルタ２３は、本発明に係る第２のキャリア信号出力手段を構成する。
【００３９】
時間同期部２４は、第１キャリア信号に含まれるパイロット信号を抽出し、抽出したパイロット信号の位置情報に基づいて、第１キャリア信号のフレームの先頭位置を検出するようになっている。第１キャリア信号に含まれているパイロット信号の周波数軸上及び時間軸上の配置情報については、時間同期部２４は制御装置１４から取得するようになっている。また、時間同期部２４は、検出した第１キャリア信号のフレームの先頭位置情報を周波数フィルタ２３に出力するようになっている。この時間同期部２４は、本発明に係る時間同期情報取得手段を構成する。また、パイロット信号は、本発明に係る特定の信号に対応する。
【００４０】
測定装置３０は、第１キャリア信号について所定の測定を行う測定部３１と、第２キャリア信号について所定の測定を行う測定部３２と、測定結果を表示する表示部３３と、を備えている。この測定装置３０は、例えば通信規格ＬＴＥ−Ａに定められている特性を測定するものである。測定項目としては、例えば、信号パワー、変調精度、占有周波数帯域幅、スプリアスエミッションマスク、隣接チャネル漏洩電力比等である。なお、測定部３１及び３２は、それぞれ、本発明に係る第１及び第２のキャリア信号測定手段を構成する。
【００４１】
操作部１３は、ＤＵＴ５０の測定における各測定条件の入力や、表示部３３の表示内容を設定するため、試験者が操作するものである。例えば、操作部１３は、キーボード、ダイヤル又はマウスのような入力デバイス、測定条件等を表示するディスプレイ、これらを制御する制御回路やソフトウェア等で構成されている。
【００４２】
制御装置１４は、操作部１３から測定条件の信号を入力し、ＤＵＴ５０、ＲＦ処理部１１、信号同期装置２０、測定装置３０のそれぞれに測定条件を設定するための制御信号を出力するようになっている。なお、操作部１３及び制御装置１４は、送信機評価装置１０とは別個の構成であってもよい。
【００４３】
次に、信号同期装置２０の機能について図３に基づき説明する。図３は、波形キャプチャ部２１がキャプチャしたマルチキャリア信号１００を概念的に示す図であって、横軸は時間軸、縦軸は周波数軸を表している。
【００４４】
図示のように、マルチキャリア信号１００は、第１キャリア信号１１０及び第２キャリア信号１２０を含む。第１キャリア信号１１０は、第１フレーム信号１１１及び第２フレーム信号１１２を含む。第２キャリア信号１２０は、第１フレーム信号１２１及び第２フレーム信号１２２を含む。ななわち、波形キャプチャ部２１は、第１キャリア信号１１０及び第２キャリア信号１２０を各２フレームずつキャプチャしている。なお、第１キャリア信号１１０は、本発明に係る１つのキャリア信号に相当し、第２キャリア信号１２０は、本発明に係る残りのキャリア信号に相当する。
【００４５】
波形キャプチャ部２１は、例えば１２５ＭＨｚの帯域幅の信号をキャプチャできる構成を有している。第１キャリア信号１１０は、周波数ｆ１からｆ２までの帯域幅（例えば２０ＭＨｚ）を有する。第２キャリア信号１２０は、周波数ｆ２からｆ３までの帯域幅（例えば２０ＭＨｚ）を有する。
【００４６】
図３において、時間軸の０（ゼロ）は、波形キャプチャ部２１が波形データのキャプチャを開始した時刻（以下「キャプチャ開始時刻」という。）を示す。第１キャリア信号１１０及び第２キャリア信号１２０はＤＵＴ５０において時間同期がとられているので、図示のように、第１フレーム信号１１１及び１２１は、キャプチャ開始時刻よりも時間Δｔだけ遅れた時刻から取り込まれている。すなわち、時間Δｔは、第１フレーム信号１１１及び１２１の先頭位置を示している。
【００４７】
時間同期部２４は、波形キャプチャ部２１がキャプチャした各信号に含まれているパイロット信号の周波数軸上及び時間軸上の配置情報に基づいて第１フレーム信号１１１及び１２１のフレームの先頭位置を示す時間Δｔを求める。例えば、時間同期部２４は、制御装置１４から取得した１フレーム分のパイロット信号の配置情報と、時間同期部２４がキャプチャした第１キャリア信号１１０との相関をとることにより、第１キャリア信号１１０におけるパイロット信号の配置位置を求めれば、パイロット信号の配置位置とフレームの先頭位置とは通信規格ごとに既知であるので時間Δｔを求めることができる。そして、時間同期部２４は、求めた時間Δｔをフレームの先頭位置情報２４ａとして周波数フィルタ２３に出力する。ここで、フレームの先頭位置情報２４ａは、本発明に係る時間同期情報に対応する。
【００４８】
その結果、周波数フィルタ２３は、キャプチャ開始時刻よりも時間Δｔだけ遅れた時刻から既知のフレーム長分の時間的長さまでの信号、すなわち、第２キャリア信号１２０の第１フレーム信号１２１を読み出して通過させ、出力することができることとなる。
【００４９】
次に、本実施形態における送信機評価装置１０の動作について図４のフローチャートを中心に説明する。
【００５０】
制御装置１４は、操作部１３からの操作信号に従って測定条件を各部に設定する（ステップＳ１１）。具体的には、制御装置１４は、ＤＵＴ５０に対して通信規格や周波数帯域等の試験条件を設定し、ＲＦ処理部１１に対して局部発振周波数等のダウンコンバートするための情報を出力する。また、制御装置１４は、信号同期装置２０に対して波形キャプチャのフレーム数、フレーム構成、フレーム長、周波数フィルタ２２及び２３の帯域幅、パイロット信号の配置情報等を出力し、測定装置３０に対して測定項目、表示方法等の情報を出力する。
【００５１】
ＤＵＴ５０は、制御装置１４から指示された通信規格、例えば通信規格ＬＴＥ−Ａに基づいたマルチキャリア信号を送信する（ステップＳ１２）。ＤＵＴ５０が送信したマルチキャリア信号は、ＲＦ処理部１１によってダウンコンバートされ復調されてＡＤＣ１２に出力され、ＡＤＣ１２は、アナログ値のマルチキャリア信号をデジタル値のマルチキャリア信号に変換し、信号同期装置２０の波形キャプチャ部２１に出力する。
【００５２】
波形キャプチャ部２１は、図３に示したように、例えば２フレーム分のマルチキャリア信号１００をキャプチャする（ステップＳ１３）。
【００５３】
周波数フィルタ２２は、波形キャプチャ部２１にキャプチャされている周波数ｆ１からｆ２までの帯域幅を有する第１キャリア信号１１０を読み出して通過させる（ステップＳ１４）。
【００５４】
時間同期部２４は、制御装置１４から取得したパイロット信号の配置情報に基づいてフレームの先頭位置情報２４ａ（時間Δｔ）を取得する（ステップＳ１５）。
【００５５】
周波数フィルタ２３は、フレームの先頭位置情報２４ａ（時間Δｔ）を入力し、波形キャプチャ部２１においてキャプチャ開始時刻よりも時間Δｔだけ遅れた時刻から取り込まれている周波数ｆ２からｆ３までの帯域幅を有する第２キャリア信号１２０を読み出して通過させる（ステップＳ１６）。
【００５６】
測定部３１は、時間同期部２４から第１キャリア信号１１０を入力し、測定部３２は、周波数フィルタ２３から第２キャリア信号１２０を入力する。そして、測定部３１及び３２は、それぞれ、第１キャリア信号１１０及び第２キャリア信号１２０について所定の測定項目に関する測定を実行する（ステップＳ１７）。
【００５７】
表示部３３は、測定部３１及び３２から測定結果のデータを取得し、測定結果を表示する（ステップＳ１８）。
【００５８】
以上のように、本実施形態における送信機評価装置１０は、時間同期部２４が、第１キャリア信号１１０に含まれるパイロット信号に基づいて第１キャリア信号１１０と第２キャリア信号１２０との時間同期を行うための時間同期情報、すなわち、フレームの先頭位置情報２４ａを取得する構成を有する。
【００５９】
したがって、本実施形態における送信機評価装置１０は、従来のように、マルチキャリア信号に含まれる複数のキャリア信号ごとに時間同期の処理を行う必要がないので、従来のものよりも信号処理に要する時間を短縮することができる。
【００６０】
なお、前述の実施形態において、時間同期部２４が、フレームの先頭位置情報２４ａを取得する構成を例に挙げて説明したが、本発明はこれに限定されるものではなく、フレームの所定の時間的位置を検出して、第１キャリア信号１１０と第２キャリア信号１２０との時間同期を行うための時間同期情報としてもよい。
【００６１】
また、前述の実施形態において、ＤＵＴ５０が送信するマルチキャリア信号が第１キャリア信号及び第２キャリア信号の２つを含むものとして説明したが、本発明はこれに限定されるものではなく、３つ以上のキャリア信号を含む構成であってもよい。例えば、マルチキャリア信号が５つのキャリア信号を含む場合は、送信機評価装置１０に対してさらに３つの周波数フィルタ及び測定部を追加し、時間同期部２４が各周波数フィルタに時間同期情報を提供する構成とすればよい。
【００６２】
また、本実施形態における送信機評価装置１０は、例えばスペクトラムアナライザに搭載されることにより、スプリアス、隣接チャネル漏洩電力、占有帯域幅、チャネルパワー、変調解析等の送信試験に必要な機能を簡単かつ高精度に測定することができて好ましい。
【産業上の利用可能性】
【００６３】
以上のように、本発明に係る信号同期装置及びそれを備えた信号評価装置並びに信号同期方法は、従来のものよりも信号処理に要する時間を短縮することができるという効果を有し、携帯電話基地局が送信するマルチキャリア信号を評価する評価装置において信号の同期処理を行う信号同期装置及びそれを備えた信号評価装置並びに信号同期方法として有用である。
【符号の説明】
【００６４】
１０  送信機評価装置（信号評価装置）
１１  ＲＦ処理部
１２  ＡＤＣ
１３  操作部
１４  制御装置
２０  信号同期装置
２１  波形キャプチャ部（マルチキャリア信号キャプチャ手段）
２２  周波数フィルタ（第１のキャリア信号出力手段）
２３  周波数フィルタ（第２のキャリア信号出力手段）
２４  時間同期部（時間同期情報取得手段）
２４ａ  フレームの先頭位置情報（時間同期情報）
３０  測定装置
３１  測定部（第１のキャリア信号測定手段）
３２  測定部（第２のキャリア信号測定手段）
３３  表示部
５０  ＤＵＴ（マルチキャリア信号送信機）
１００  マルチキャリア信号
１１０  第１キャリア信号（１つのキャリア信号）
１１１  第１フレーム信号
１１２  第２フレーム信号
１２０  第２キャリア信号（残りのキャリア信号）
１２１  第１フレーム信号
１２２  第２フレーム信号
【図１】
2014082662.tif 000003
【図２】
2014082662.tif 000004
【図３】
2014082662.tif 000005
【図４】
2014082662.tif 000006